(57)【要約】      （修正有）【課題】紫外線光から目を保護し、指の爪の塗料を損なうことのないネイルカラーゲル硬化機を提供する。【解決手段】ネイルカラーゲル硬化機はケース１、ランプベース２、光硬化ランプ群３、ランプ４及び制御ユニットを備える。硬化機を使用する場合、スイッチ１４を入れてランプを発光させ、ケース上部の開口部１２の箇所に設置されるカバー１３から光が透過されるか否かを確認することで、使用者は硬化機が起動状態にあるか否かを判断でき、且つ硬化機の外観設計の造形の全体的な完全性を維持させるようにする。スイッチ１４はタッチ部１４２をタッチすることで作動される。【選択図】図２
0003194549.tif 000002
【実用新案登録請求の範囲】
【請求項１】
全体的な外観設計による造形を有し、一側には孔部を有し、且つ上部には開口部を有すると共に、不透明である、透光性カバーを有し、前記カバーは前述の造形の一部を構成して、前記開口部に冠着されるケースと、
前記ケースに内設され、中空状を呈すると共に前記ケース内に収納室を形成させ、前記収納室における前記孔部の一側は中空になると共に前記孔部に対応して連通するランプベースと、
前記ランプベース内に固定されると共に前記収納室に対して紫外線光を発する光硬化ランプ群と、
前記ケースに内設されると共に前記開口部に位置して前記カバーに対向するランプと、
前記ケースに内設されると共に前記光硬化ランプ群及び前記ランプに電気的に接続され、前記ケースに電気的に接続されるスイッチを前記光硬化ランプ群及び前記ランプに対応してこれらの発光及び消灯を行う制御ユニットと、
を備えることを特徴とするネイルカラーゲル硬化機。
【請求項２】
前記透光性を有するカバーは透光率の比較的高い表示部を有することを特徴とする、請求項１記載のネイルカラーゲル硬化機。
【請求項３】
前記表示部は文字、パターン、或いはこれらの組み合わせであることを特徴とする、請求項２記載のネイルカラーゲル硬化機。
【請求項４】
前記スイッチは、前記ケースに内設されると共に前記制御ユニットに電気的に接続される静電容量式タッチ回路基板と、前記ケースの外に表示されるタッチ部と、及び前記静電容量式タッチ回路基板と前記タッチ部との間に設置される導体とを備え、前記タッチ部がタッチされると前記導体により前記静電容量式タッチ回路基板をトリガーさせ、前記光硬化ランプ群及び前記ランプに対する発光信号或いは消灯信号を前記制御ユニットに伝送させることを特徴とする、請求項１記載のネイルカラーゲル硬化機。
【請求項５】
前記導体はバネであることを特徴とする、請求項４記載のネイルカラーゲル硬化機。
【請求項６】
前記ランプは複数の発光ダイオード及び回路基板を備え、前記複数の発光ダイオードは前記回路基板に設置され、前記回路基板は前記ランプベースの上部に設置されることを特徴とする、請求項１記載のネイルカラーゲル硬化機。
【請求項７】
前記ランプベースは上部板及び前記上部板の周側に周設される側壁を有し、
且つ前記光硬化ランプ群は前記ランプベース内の前記上部板に設置されると共に紫外線光を発光させる冷陰極蛍光管、及び前記ランプベース内の前記側壁に設置されると共に紫外線光を発光させる複数の発光ダイオードを備える
ことを特徴とする、請求項１記載のネイルカラーゲル硬化機。
【考案の詳細な説明】
【技術分野】
【０００１】
本考案は、ネイルカラーゲル硬化機に関する。
【背景技術】
【０００２】
図４は従来の硬化機である。一側に孔部９２を有するケース９１からなり、ケース９１内には孔部９２に連通される収納室９３を有し、且つ収納室９３には光硬化ランプが内設される(図示せず)。使用者が前述の硬化機を使用する場合、指の爪にネイルカラーを施した後、指を孔部９２から収納室９３に進入させ、ケース９１の表面のキー９４により収納室９３内の光硬化ランプを起動させ、紫外線光を指の爪に施されたネイルカラーの塗料に当てて硬化を進める。
【考案の概要】
【考案が解決しようとする課題】
【０００３】
しかしながら、前述した従来の硬化機は、以下の問題を有する。
１、従来の硬化機を使用した場合、ケース９１の表面には起動したことを表示させる機能がないために、使用者はケース９１の外観からは硬化機が起動したか否かを確認できず、孔部９２から紫外線光が漏れているか否かで起動を判断するしかない。しかし紫外線光は目を傷付けるため、ケース９１の孔部９２の一側には延出部９５が設けられ、指の爪の硬化を行う際に紫外線光が漏れないように遮断させる。しかしながら、漏れてくる紫外線光により硬化機の起動を判断させるしかない事実は変わらず、目にも不必要な傷害を与える。
現在の技術ではケース９１に指示ランプを増設させて硬化機の起動を判断可能にしている。しかし市場では硬化機の外観デザインの設計に対する要求が高く、指示ランプをケース９１に単純に設置させるのでは目立ち過ぎる上にデザイン設計の点でも釣合いがとれず、且つ外観設計の造形の全体的な完全性を損ない、硬化機市場での競争にとって不利になる。故に、市場には指示ランプを設置させた硬化機はほぼ存在しない。
２、現在市場に出回る硬化機は皆機械式であるため、前述のキー９４が硬化機のケースから突出しており、指で押下されることでスイッチとしての動作を行う。しかしながら、指の爪にネイルカラーの塗料が塗られている場合、指を前述のキー９４に当てて下に向けて押下させる動作を行うと、指の爪の塗料がケースの接触ミスで損なわれることがあり、ネイルカラーを再度施工しなければならなくなる。
【０００４】
そこで、本考案者は上記の欠点が改善可能と考え、鋭意検討を重ねた結果、合理的かつ効果的に課題を改善する本考案のネイルカラーゲル硬化機の提案に到った。
【０００５】
本考案は、このような従来の問題に鑑みてなされたものである。上記課題解決のため、本考案は、ネイルカラーゲル硬化機を提供することを主目的とする。カバーからランプの光が透過しているか否かにより硬化機が起動したか否かを判断でき、紫外線光を直接目視して硬化機の起動を判断する必要がなくなり、紫外線光により目が不必要に傷付けられることがなく、且つ硬化機の外観設計の造形の全体的な完全性を維持させる。
【０００６】
本考案の他の目的は、光硬化ランプ群及びランプのスイッチを押下式ではなくタッチ式に設計させることで、使用者が光硬化ランプ群及びランプを起動させる際に、タッチ部をタッチさせるのみで起動及び停止を行え、指の爪の塗料が指でスイッチを押下させる動作により損壊する問題を回避させる。
【課題を解決するための手段】
【０００７】
上述した課題を解決し、目的を達成するために、本考案に係るネイルカラーゲル硬化機は、全体的な外観設計による造形を有し、一側には孔部を有し、且つ上部には開口部を有すると共に不透明な透光性カバーを有し、前記カバーは前述の造形の一部を構成させ、前記開口部に冠着されるケースと、前記ケースに内設され、中空状を呈すると共に前記ケース内に収納室を形成させ、前記収納室にある前記孔部の一側は中空になると共に前記孔部に対応させて連通されるランプベースと、前記ランプベース内に固定されると共に前記収納室に対して紫外線光を発する光硬化ランプ群と、前記ケースに内設されると共に前記開口部の箇所に位置されて前記カバーに対向するランプと、前記ケースに内設されると共に前記光硬化ランプ群及び前記ランプに電気的に接続され、前記ケースに電気的に接続されるスイッチを前記光硬化ランプ群及び前記ランプに対応させてこれらの発光及び消灯を行う制御ユニットを備えることを特徴とする。
【０００８】
好ましい実施形態は、前記透光性を有するカバーは透光率の高い表示部を有する。前記表示部は文字、パターン、或いはこれらの組み合わせである。
【０００９】
好ましい実施形態は、前述のスイッチは、前記ケースに内設されると共に前記制御ユニットに電気的に接続される静電容量式タッチ回路基板、前記ケースの外に表示されるタッチ部、及び前記静電容量式タッチ回路基板と前記タッチ部との間に設置される導体を備え、前記タッチ部がタッチされると前記導体により前記静電容量式タッチ回路基板をトリガーさせ、前記光硬化ランプ群及び前記ランプに対する発光信号或いは消灯信号を前記制御ユニットに伝送させる。
【００１０】
好ましい実施形態は、前記ランプは複数の発光ダイオード及び回路基板を備え、前記複数の発光ダイオードは前記回路基板に設置され、前記回路基板は前記ランプベースの上部に設置される。
【００１１】
好ましい実施形態は、前記ランプベースは上部板及び前記上部板の周側に周設される側壁を有し、且つ前記光硬化ランプ群は前記ランプベース内の前記上部板に設置されると共に紫外線光を発光させる冷陰極蛍光管、及び前記ランプベース内の前記側壁に設置されると共に紫外線光を発光させる複数の発光ダイオードを備える。
【図面の簡単な説明】
【００１２】
【図１】本考案の一実施形態に係るネイルカラーゲル硬化機を説明する外観斜視図である。
【図２】本考案の一実施形態に係るネイルカラーゲル硬化機を説明する分解図である。
【図３】本考案の一実施形態に係るネイルカラーゲル硬化機を説明する断面模式図である。
【図４】従来の硬化機を示す外観斜視図である。
【考案を実施するための形態】
【００１３】
以下、本考案の実施形態について、図１〜３を参照しながら説明する。なお、本考案は、以下に説明する実施形態に限定されるものではない。
【００１４】
（一実施形態）
本考案に係るネイルカラーゲル硬化機は図１〜図３に示すように、ケース１、ランプベース２、光硬化ランプ群３、ランプ４及び制御ユニット５を備える。
【００１５】
前記ケース１の全体的な外観設計による造形を有し、ケース１の一側には孔部１１を有し、且つ上部には開口部１２を有すると共にカバー１３を有し、前記カバー１３は不透明であり透光性を有し且つ前記開口部１２に蓋をし、カバー１３は前述の造形の一部を構成させると共に前記開口部１２に冠着される。本実施形態によると、前記透光性を有するカバー１３は表示部１３１を有し、表示部１３１の透光率はカバー１３全体の中でも特に高く、且つ表示部１３１は本実施形態では文字である。異なる実施形態では、前記表示部１３１はパターン、或いは文字とパターンの組み合わせである。
【００１６】
ここでは、全体的な外観設計による造形を有するとは、消費者の注意を引くための商品の外観の造形設計を指し、例えば本実施形態のケース１は弧面と平面とを結合させて蓮状の造形となっており、開口部１２はケース１の上部の造形部分に対応するように開設され、カバー１３はこの造形に対応させながら開口部１２に冠着される。故に開口部１２に冠着されるカバー１３も造形の一部分を形成させている。
【００１７】
前記ランプベース２は前記ケース１に内設され、前記ランプベース２は中空状を呈すると共に前記ケース１内に収納室２１が形成され、前記収納室２１の前記孔部１１の一側は中空であり前記孔部１１に対応させて連通される。この好ましい実施形態は、前記ランプベース１は上部板２２及び側壁２３を有し、側壁２３は前記上部板２２の周側に周設される（図２及び図３参照）。
【００１８】
なお、光硬化ランプ群３は前記ランプベース２内に固定されると共に前記収納室２１に対し紫外線光を発する。この好ましい実施形態は、前記光硬化ランプ群３は前記ランプベース２内の前記上部板２２に設置されると共に紫外線光を発光させる冷陰極蛍光管３１、及び前記ランプベース２内の前記側壁２３に設置されると共に紫外線光を発光させる複数の発光ダイオード３２を備える。
【００１９】
また、ランプ４は前記ケース１に内設されると共に前記開口部１２の箇所に位置されて前記カバー１３に対向させる。本実施形態では、ランプ４は複数の発光ダイオード４１及び回路基板４２を備え、前記複数の発光ダイオード４１は前記回路基板４２に設置され、且つ回路基板４２は前記ランプベース２の上部に設置される。
【００２０】
さらに、制御ユニット５は前記ケース１に内設されると共に前記光硬化ランプ群３及び前記ランプ４に電気的に接続され、且つ制御ユニット５の前記ケース１に電気的に接続されるスイッチ１４は前記光硬化ランプ群３及び前記ランプ４に対応させて発光及び消灯を行う。この好ましい実施形態は、スイッチ１４は静電容量式タッチ回路基板１４１、タッチ部１４２及び導体１４３を備え、静電容量式タッチ回路基板１４１はケース１に内設されると共に制御ユニット５に電気的に接続され、導体１４３は本実施形態ではバネであり、タッチ部１４２はケース１の外に表示され、導体１４３は前記静電容量式タッチ回路基板１４１と前記タッチ部１４２との間に設置され、前記タッチ部１４２がタッチされると前記導体１４３により前記静電容量式タッチ回路基板１４１がトリガーされ、前記光硬化ランプ群３及び前記ランプ４に対する発光信号或いは消灯信号が前記制御ユニット５に伝送される。
【００２１】
本実施形態に係るネイルカラーゲル硬化機を実際に操作する場合、まず、ネイルカラーの塗料が塗られた指をケース１の孔部１１からランプベース２の収納室２１内へと進入させ、タッチ部１４２をタッチして光硬化ランプ群３及びランプ４を同時に起動させる。この際、冷陰極蛍光管３１及び複数の発光ダイオード３２は収納室２１内に対し紫外線光を発し、指の爪の塗料を硬化させると同時にランプ４の発光ダイオード４１もタッチ部１４２がタッチされると発光し、発光ダイオード４１が発する光がカバー１３を透過させ、特に透光率が高い表示部１３１では明瞭に透過される。前述の表示部１３１は発光ダイオード４１が発光していない場合は図１のように明確には見えず、図１は表示部１３１の位置を示すに過ぎないが、但し発光ダイオード４１が発光すると、表示部はカバー１３上で明確に表示されることを補足する。
【００２２】
上述の説明から本考案は以下の長所を有するとわかる。
１、カバー１３は硬化機の外観設計の造形を維持させる前提で設計して設置されており、使用者が硬化機の起動を確認するのに孔部１１から漏れる紫外線光を目視する必要がなく、カバー１３から透過される光を直接確認することで判断可能であり、特に表示部１３１では明瞭であるため、これにより使用者が紫外線光を目視して判断することで目を傷付ける可能性を回避させ、且つ従来のようなケースに指示ランプが設置されることで目立ち過ぎてデザイン設計のバランスを崩す問題もなくなり、硬化機の外観設計の造形の全体的な完全性を維持させる。
２、硬化機を使用する場合、通常は使用者がネイルカラーの塗料を塗布した後に片手か両手かによらず、ネイルカラーが塗られた指で光硬化ランプ群３を起動させる際に、爪以外の部位でタッチ部１４２をタッチさせるのみで簡単に硬化機を起動させることができ、且つ前述のカバー１３から透過された光により硬化機が起動したか判断できる。スイッチ１４は押下式ではなくタッチ式であるため、指の爪の上の塗料が指でスイッチを押下させる動作により損壊する問題も発生しない。
【００２３】
以上、本考案の実施形態について図面を参照して詳述したが、具体的な構成はこの実施形態に限られるものではなく、本考案の要旨を逸脱しない範囲の設計変更等も含まれる。
【符号の説明】
【００２４】
（従来）
９１ケース
９２孔部
９３収納室
９４キー
９５延出部
（本考案）
１ケース
１１孔部
１２開口部
１３カバー
１３１表示部
１４スイッチ
１４１静電容量式タッチ回路基板
１４２タッチ部
１４３導体
２ランプベース
２１収納室
２２上部板
２３側壁
３光硬化ランプ群
３１冷陰極蛍光管
３２発光ダイオード
４ランプ
４１発光ダイオード
４２回路基板
５制御ユニット
【図１】
0003194549.tif 000003
【図２】
0003194549.tif 000004
【図３】
0003194549.tif 000005
【図４】
0003194549.tif 000006